(57)【要約】【課題】操作レバーを運転部に可及的に近接配置するとともに、操作レバーを起立姿勢となして配設することで、身体が小柄な作業者であっても運転部において楽に手元操作することができるコンバインを提供すること。【解決手段】  刈取部の一側方下部にサイドデバイダを取り付けるとともに、サイドデバイダは、外側方へ張り出した使用姿勢と上方へ跳ね上げた不使用姿勢との間で姿勢変更自在となし、サイドデバイダには、その姿勢を変更操作する操作レバーを連動連結するとともに、操作レバーは、穀稈搬送部と運転部との間に起立姿勢となして配設した。【選択図】図４
2015089341.tif 000002
【特許請求の範囲】
【請求項１】
自走可能な走行機体の前端部に穀稈を刈り取る刈取部を取り付け、走行機体の左右側いずれか一側方に脱穀・選別部を配設する一方、左右側いずれか他側方の前部に運転部を配設し、刈取部には、刈り取られた穀稈を脱穀・選別部へ搬送する穀稈搬送装置を設けたコンバインにおいて、
刈取部の一側下部にサイドデバイダを取り付けるとともに、サイドデバイダは、外側方へ張り出した使用姿勢と上方へ跳ね上げた不使用姿勢との間で姿勢変更自在となし、
サイドデバイダには、その姿勢を変更操作する操作レバーを連動連結するとともに、
操作レバーは、穀稈搬送装置と運転部との間に起立姿勢となして配設したことを特徴とするコンバイン。
【請求項２】
操作レバーは、上下方向に軸線を向けて形成するとともに下端部を枢支して、前後方向に揺動操作自在となし、
操作レバーの前後方向への揺動操作に、サイドデバイダの姿勢変更動作を連動させたことを特徴とする請求項１記載のコンバイン。
【請求項３】
刈取部には刈取フレームを設け、刈取フレームには、左右方向に軸線を向けて形成した前上部フレーム形成片と、前上部フレーム形成片の略中央部から後方へ向けて延伸させて形成した中央部フレーム形成片を設けて、
中央部フレーム形成片の中途部に操作レバーの下端部を枢支したことを特徴とする請求項２記載のコンバイン。
【請求項４】
刈取部には穀稈の穂先側部を引き起こす穀稈引起装置を設け、穀稈引起装置にはその引起駆動速度を変速操作する引起変速レバーを連動連結するとともに、
引起変速レバーは、穀稈搬送部と運転部との間に起立姿勢となして配設するとともに、操作レバーと左右方向に隣接させて並設したことを特徴とする請求項１〜３のいずれか１項記載のコンバイン。
【発明の詳細な説明】
【技術分野】
【０００１】
本発明は、コンバイン、詳しくは、サイドデバイダを手元操作可能としたコンバインに関する。
【背景技術】
【０００２】
従来、コンバインの一形態として、走行機体の左側方に脱穀・選別部を配設する一方、走行機体の右側方に運転部とその後方に穀粒貯留部を配設し、走行機体の前端部には刈取部を取り付け、刈取部と脱穀・選別部との間に刈取部で刈り取られた穀稈を脱穀部へ搬送する穀稈搬送部を配設したものがある。また、走行機体の一側方の下部には、サイドデバイダを外側方へ張り出した使用姿勢と上方へ跳ね上げた不使用姿勢との間で姿勢変更自在に取り付けている。そして、穀稈搬送部の直上方位置にはサイドデバイダを姿勢変更操作するための操作レバーを配設して、操作レバーを運転部において手元操作可能としている。すなわち、操作レバーは、前後方向に軸線を向けた棒状に形成して横臥状に配設し、その前端部を上下方向の軸線廻りに枢支するとともに、連動機構を介してサイドデバイダに連動連結している。このように構成した操作レバーは、その後端部を把持して左右方向に揺動操作すると、連動機構を介してサイドデバイダが姿勢変更動作するようにしている（例えば、特許文献１を参照）。
【先行技術文献】
【特許文献】
【０００３】
【特許文献１】特開２０１０−２９１３７号公報
【発明の概要】
【発明が解決しようとする課題】
【０００４】
ところが、上記した操作レバーは、穀稈搬送部の直上方位置において、その後端部を把持して左右方向、つまり、運転部から離隔する方向と運転部に近接する方向に揺動操作するようにしているため、特に、運転部から離隔する方向にレバー操作をする際には、運転部における手元操作とはいえ、身体が小柄な作業者は、運転部から大きく身を乗り出してレバー操作する必要があった。
【０００５】
そこで、本発明は、操作レバーを運転部に可及的に近接配置するとともに、操作レバーを起立姿勢となして配設することで、身体が小柄な作業者であっても運転部において楽に手元操作することができるコンバインを提供することを目的とする。
【課題を解決するための手段】
【０００６】
請求項１記載の発明は、自走可能な走行機体の前端部に穀稈を刈り取る刈取部を取り付け、走行機体の左右側いずれか一側方に脱穀・選別部を配設する一方、左右側いずれか他側方の前部に運転部を配設し、刈取部には、刈り取られた穀稈を脱穀・選別部へ搬送する穀稈搬送装置を設けたコンバインにおいて、刈取部及び走行機体の一側下部にサイドデバイダを取り付けるとともに、サイドデバイダは、外側方へ張り出した使用姿勢と上方へ跳ね上げた不使用姿勢との間で姿勢変更自在となし、サイドデバイダには、その姿勢を変更操作する操作レバーを連動連結するとともに、操作レバーは、穀稈搬送装置と運転部との間に起立姿勢となして配設したことを特徴とする。
【０００７】
請求項２記載の発明は、請求項１記載の発明であって、操作レバーは、上下方向に軸線を向けて形成するとともに下端部を枢支して、前後方向に揺動操作自在となし、操作レバーの前後方向への揺動操作に、サイドデバイダの姿勢変更動作を連動させたことを特徴とする。
【０００８】
請求項３記載の発明は、請求項２記載の発明であって、刈取部には刈取フレームを設け、刈取フレームには、左右方向に軸線を向けて形成した前上部フレーム形成片と、前上部フレーム形成片の略中央部から後方へ向けて延伸させて形成した中央部フレーム形成片を設けて、中央部フレーム形成片の中途部に操作レバーの下端部を枢支したことを特徴とする。
【０００９】
請求項４記載の発明は、請求項１〜３のいずれか１項記載の発明であって、刈取部には穀稈の穂先側部を引き起こす穀稈引起装置を設け、穀稈引起装置にはその引起駆動速度を変速操作する引起変速レバーを連動連結するとともに、引起変速レバーは、穀稈搬送部と運転部との間に起立姿勢となして配設するとともに、操作レバーと左右方向に隣接させて並設したことを特徴とする。
【発明の効果】
【００１０】
本発明によれば、操作レバーを運転部に可及的に近接配置するとともに、操作レバーを起立姿勢となして配設することで、身体が小柄な作業者であっても運転部において楽に手元操作（手が届く範囲内での操作）することができるコンバインを提供することができる。
【図面の簡単な説明】
【００１１】
【図１】本実施形態に係るコンバインの左側面図。
【図２】上記コンバインの平面図。
【図３】上記コンバインの正面図。
【図４】操作レバー及びデバイダ連動機構と引起変速レバー及び変速連動機構の斜視説明図。
【図５】操作レバー、デバイダ連動機構、及びサイドデバイダの斜視動作説明図。
【図６】デバイダ連動機構及びサイドデバイダの背面説明図。
【図７】引起変速レバー、変速連動機構、及び変速機構の斜視動作説明図。
【図８】変速連動機構、及び変速機構の背面説明図。
【図９】キャビン型のコンバインの左側面図。
【発明を実施するための形態】
【００１２】
以下に、本発明の実施形態を、図面を参照しながら説明する。図１〜図３に示すＡは本実施形態に係るコンバインである。コンバインＡは、図１〜図３に示すように、自走可能な走行機体１の前端部に刈取部２を取り付けて構成している。
【００１３】
走行機体１は、左右一対のクローラ式の走行部１０,１０上に機体フレーム１１を設け、機体フレーム１１上の左側前部には、穀稈移送部１２と脱穀部１３と選別部１４を配設するとともに、後部に排藁処理部１５を配設している。一方、機体フレーム１１上の右側前部には、運転部１６を配設するとともに、右側中途部に穀粒貯留部１７を配設し、穀粒貯留部１７の直後方に穀粒搬出部１８を穀粒貯留部１７と連通させて配設している。運転部１６の後下方に位置する機体フレーム１１上には、原動機部としてのエンジン１８を搭載して、エンジン１８の駆動力により上記した各部の作動部を作動させるようにしている。
【００１４】
刈取部２は、刈取フレーム２０に、立ち毛の穀稈を条毎に分草する分草体２１と、条毎に倒伏した穀稈の穂先側部を引き起こす穀稈引起装置２２と、穀稈の株元部を刈り取る刈刃装置２３と、刈り取られた穀稈を前記した穀稈移送部１２まで搬送して受け渡す穀稈搬送装置２４とを具備している。刈取フレーム２０は、機体フレーム１１上の左側前端部に立設した左右一対の刈取部支柱（図示せず）に、左右方向の軸線廻りに回動自在に枢支して、走行機体１に刈取部２を昇降自在に取り付けている。２５は穀稈搬送装置２４の前部直上方を被覆する前部カバー体、２６は穀稈搬送装置２４の後部直上方を被覆する後部カバー体である。
【００１５】
刈取部２の一側下部（本実施形態では左側下部）には、未刈穀稈を一側外方へ押しやって機体から離隔させるためのサイドデバイダ６０を取り付けている。サイドデバイダ６０は、図５に示すように、外側方へ張り出した使用姿勢（ａ）と上方へ跳ね上げた不使用姿勢（ｂ）との間で姿勢変更自在となしており、圃場における立ち毛の穀稈を刈取部２により刈り取りながら前進走行する走行機体１が、その一側方に植立している未刈穀稈を巻き込んだり、走行部１０で踏みつけたりしないように、サイドデバイダ６０を使用姿勢（ａ）となしておくことで、未刈穀稈を一側外方へ押しやって走行機体１から離隔させるようにしている。
【００１６】
このように構成したコンバインＡにより刈取作業を行う際には、刈取部２を刈取作業位置まで下降させ、その後に、サイドデバイダ６０を使用姿勢（ａ）となして、圃場における立ち毛の穀稈を刈取部２により刈り取りながら走行機体１を前進走行させる。刈り取った穀稈は、穀稈搬送装置２４により後上方の穀稈移送部１２まで搬送されて、穀稈移送部１２に穀稈が受け渡される。穀稈移送部１２に受け渡された穀稈は、穀稈移送部１２により穀稈の株元が挟扼されるとともに穂先が脱穀部１３内に挿入された横臥状態で後方へ移送される。
【００１７】
この際、穀稈の穂先は脱穀部１３により脱穀されるとともに、脱穀された穀粒は選別部１４により選別されて、精粒のみが穀粒貯留部１７に搬送されて貯留される。貯留されている穀粒（清粒）は必要に応じて穀粒搬出部１８により機外へ搬出することができる。また、脱穀された穀稈は排藁として排藁処理部１５に搬送され、排藁処理部１５にて細断・排出処理される。
【００１８】
刈取部２の刈取フレーム２０は、図４に示すように、メインフレーム形成体２８と、サブフレーム形成体２９とから形成している。メインフレーム形成体２８は、左右方向に軸線を向けて円筒状に形成した後上部横フレーム形成片３０の右側端部に、前下方に軸線を向けて円筒状に形成した傾斜フレーム形成片３１の上端部を連通連結し、傾斜フレーム形成片３１の左側下端部に、左右方向に軸線を向けて円筒状に形成した左側前下部横フレーム形成片３２の右側端部を連通連結するとともに、傾斜フレーム形成片３１の右側下端部に、左右方向に軸線を向けて円筒状に形成した右側前下部横フレーム形成片３３の左側端部を連通連結し、左側前下部横フレーム形成片３２の左側部に上下方向に軸線を向けて円筒状に形成した左側縦フレーム形成片３４の下端部を連通連結する一方、右側前下部横フレーム形成片３３の右側端部に上下方向に軸線を向けて円形パイプ状に形成した右側縦フレーム形成片（図示せず）の下端部を連結して、左・右側前下部横フレーム形成片３２,３３を同軸的に配置し、左・右側縦フレーム形成片３４の上端間に、左右方向に軸線を向けて円筒状に形成した前上部横フレーム形成片３６の左右側部を横架状に連通連結して形成している。
【００１９】
上記したメインフレーム形成体２８は、左・右側前下部横フレーム形成片３２,３３と左・右側縦フレーム形成片３４と前上部横フレーム形成片３６とにより四角形枠状に形成し、前上部横フレーム形成片３６の中央部と後上部横フレーム形成片３０の右側端部との間には、前後方向に軸線を向けて円形パイプ状に形成した中央部フレーム形成片３７を架設するとともに、中央部フレーム形成片３７は、中途部を上方へ凸状に屈曲させて「へ」の字状に形成している。
【００２０】
前上部横フレーム形成片３６には、上下方向に軸線を向けた４つの円筒状の引起伝動ケース３８の上端部を左右方向に間隔をあけて垂下状に連動連結している。各引起伝動ケース３８の下端部には、上下方向に延伸させて形成した穀稈引起装置２２の上端部を連動連結するとともに、後述する各刈刃装置支持フレーム形成片４１の中途部に穀稈引起装置２２の下端部を取り付けて、４つの穀稈引起装置２２を架設状に配置している。各穀稈引起装置２２は、上下方向に間隔をあけて多数の引起タイン２２ａ（図２参照）を側方へ突出させるとともに、左右一側縁部の下方から上方へ向けて移動させることで、引起タイン２２ａにより各条の倒伏した穀稈の穂先側部を引き起こし可能に構成している。左右に隣接する穀稈引起装置２２,２２の引起タイン２２ａ,２２ａ同士は、左右に対向させて配置している。
【００２１】
サブフレーム形成体２９は、左・右側前下部横フレーム形成片３２,３３には、前後方向に軸線を向けて円形パイプ状に形成した左右一対の分草体支持フレーム形成片４０,４０の後端部を連結し、両分草体支持フレーム形成片４０,４０の下面間に、左右方向に軸線を向けて四角形筒状に形成した刈刃装置支持フレーム形成片４１を、左・右側前下部横フレーム形成片３２,３３の直前方において平行させて取り付けている。刈刃装置支持フレーム形成片４１には、刈刃装置２３を取り付けており、刈刃装置２３は、刈刃伝動ケース４２,４２を介して左・右側前下部横フレーム形成片３２,３３に連動連結して、刈刃装置２３により穀稈の株元部を刈り取り可能としている。
【００２２】
刈刃装置支持フレーム形成片４１には、左右外側の２本の分草体支持フレーム形成片４０,４０の間に配置するとともに、前後方向に軸線を向けて円形パイプ状に形成した内側の３本の分草体支持フレーム形成片４３の後端部を左右方向に間隔をあけて相互に平行状態に取り付けている。内外側の５本の分草体支持フレーム形成片４０,４３の前端部にはそれぞれ分草体２１を取り付けて、これらの分草体２１により立ち毛の穀稈を４条に分草可能としている。
【００２３】
上記のように形成したメインフレーム形成体２８の後上部横フレーム形成片３０と傾斜フレーム形成片３１と左側前下部横フレーム形成片３２と左側縦フレーム形成片３４と前上部横フレーム形成片３６は、支持フレームと伝動軸ケースを兼用しており、これらのフレーム形成片には穀稈引起装置２２と刈刃装置２３と穀稈搬送装置２４を連動連結している。また、後上部横フレーム形成片３０に軸架した伝動軸４４の左側端部に入力プーリ４５を取り付けて、エンジン１８に伝動機構を介して入力プーリ４５を連動連結して、各装置２２,２３,２４を駆動可能としている。穀稈搬送装置２４は、刈刃装置２３により刈り取られた穀稈を、穀稈移送部１２まで搬送して受け渡すように構成している。
【００２４】
左側縦フレーム形成片３４は、上部の引起変速ケース４６と中途部の中間支持パイプ４７と下部のフレーム本片４８とを同軸的に連通連結して形成している。引起変速ケース４６は、図６に示すように、変速機構４９を内蔵して、変速機構４９に連動連結したシフトフォーク軸５０を引起変速ケース４６から上外方へ突出させている。そして、シフトフォーク軸５０を上下方向に摺動作動させて、変速機構４９を切替動作させることで、穀稈引起装置２２の引起駆動速度を高低の二段階に変速可能としている。
【００２５】
上記したような構成において、本実施形態では、図４〜図６に示すように、サイドデバイダ６０に、デバイダ連動機構６５を介して、サイドデバイダ６０の姿勢を変更操作する操作レバー６１を連動連結するとともに、穀稈搬送装置２４の後部と運転部１６との間に操作レバー６１を起立姿勢となして配設したことに特徴を有している。以下に、図４〜図６を参照しながら、デバイダ連動機構６５を介したサイドデバイダ６０と操作レバー６１との連動連結構造について詳説する。
【００２６】
すなわち、中途部を上方へ凸状に屈曲させて形成した中央部フレーム形成片３７の頂部の右側周面に、垂直板状に形成したレバー支持体６２の左側面を面接触させて取り付け、レバー支持体６２の右側面には左右方向に軸線を向けたレバー支軸６３を右側方へ向けて略水平に突出させて、レバー支軸６３の基端部側（左側部側）に短幅筒状の操作レバーボス部６４を回動自在に外嵌し、操作レバーボス部６４の周面上部に上下方向に軸線を向けた操作レバー６１の下端部を取り付けている。操作レバー６１は、操作レバーボス部６４を介してレバー支軸６３の軸線廻りに前後方向に揺動操作自在となすとともに、操作レバー６１にデバイダ連動機構６５を介してサイドデバイダ６０を連動連結して、操作レバー６１の前後方向への揺動操作に、サイドデバイダ６０の使用姿勢（ａ）と不使用姿勢（ｂ）との間の姿勢変更動作を連動させている。
【００２７】
サイドデバイダ６０は、デバイダ本体７０と中途連結片７１とを具備している。デバイダ本体７０は、前後方向に延伸する棒状に形成するとともに、使用姿勢（ａ）において、左側の分草体支持フレーム形成片４０の前部に前端部７０ａを配置し、前端部７０ａから後屈曲部７０ｂまでを漸次左側外方に直状に張り出させて配置し、後屈曲部７０ｂから後端部７０ｃまでを漸次刈取部２側である右側方に直状に延伸させて、後端部７０ｃを機体フレーム１１に近接させて配置している。デバイダ本体７０の中途部には，Ｌ字状に屈曲させて形成した中途連結片７１の基端側半部７１ａをデバイダ本体７０の中途部に沿わせて連設するとともに、中途連結片７１の先端側半部７１ｂを刈取部２側に延伸させて、その先端部７１ｃを刈取部２の左側前下部横フレーム形成片３２の後方に近接させて配置している。
【００２８】
左側の分草体支持フレーム形成片４０の前部には、支軸ステー７２を設け、支軸ステー７２に前後方向に軸線を向けたデバイダ前部支軸７３をその軸線廻りに回転自在に突設して、デバイダ前部支軸７３にブラケット７４を介してデバイダ本体７０の前端部７０ａを連設している。左側前下部横フレーム形成片３２の背面左側端部には、取付体７５を介して前後面を有する板状の姿勢変更ガイド体７６を取り付け、姿勢変更ガイド体７６の後面に枢支軸７７を介して三角形板状の姿勢変更体７８の前面を重合状態に面接させて枢支連結している。姿勢変更ガイド体７６の上部には上方へ凸の円弧状のガイド用長孔７６ａを形成している。姿勢変更ガイド体７６の下部には前後方向に軸線を向けた枢支軸７７を後方へ向けて突設し、枢支軸７７に姿勢変更体７８の右側下角部を枢支するとともに、姿勢変更体７８の上角部に前方へ向けて突設したガイドピン７９をガイド用長孔７６ａ中に挿通している。そして、枢支軸７７を中心に姿勢変更体７８を上下揺動自在となすとともに、ガイドピン７９をガイド用長孔７６ａに沿って左右方向に摺動自在となして、姿勢変更体７８の後面に中途連結片７１の先端部７１ｃの周面を重合状態に連設している。ここで、ガイド用長孔７６ａの左側端部にガイドピン７９が位置する状態では、サイドデバイダ６０が使用姿勢（ａ）を採り、また、ガイド用長孔７６ａの右側端部にガイドピン７９が位置する状態では、サイドデバイダ６０が不使用姿勢（ｂ）を採るように構成している。
【００２９】
デバイダ連動機構６５は、前後方向に動作するとともに前後方向に延伸する前後延伸ロッド８０と、前後延伸ロッド８０による前後方向の動作を左右方向の動作に変換する第１変換レバー体８１と、第１変換レバー体８１により左右方向に動作するとともに左右方向に延伸する左右延伸ロッド８２と、左右延伸ロッド８２による左右方向の動作を上下方向の動作に変換する第２変換レバー体８３と、第２変換レバー体８３により上下方向に動作するとともに上下方向に延伸する上下延伸ロッド８４とを具備している。
【００３０】
中央部フレーム形成片３７の上周面前部には、上下方向に軸線を向けた第１レバー支軸８５を突設して、第１レバー支軸８５の上部に筒状の上レバーボス部８６を介して右側方と前方に張り出させて水平板状に形成した第１変換レバー体８１の左側後部を枢支している。前後延伸ロッド８０は、操作レバー６１の下部に設けた連結ブラケット８７に第１連結ピン８８を介して後端部を連結するとともに、第１変換レバー体８１の右側後部に第２連結ピン８９を介して前端部を連結している。前上部横フレーム形成片３６の背面左側端部には、レバーステー９０を取り付け、レバーステー９０の右側下部に前後方向に軸線を向けた第２レバー支軸９１の中途部を連設して、第２レバー支軸９１の後部にその軸線を中心に後レバーボス部９２を回転自在に外嵌している。第２変換レバー体８３は、上下方向に延伸する上下レバー形成片８３ａと、左右方向に延伸する左右レバー形成片８３ｂと、左低右高の斜状に延伸する斜レバー形成片８３ｃとを具備しており、後レバーボス部９２に上下レバー形成片８３ａの下端部と左右レバー形成片８３ｂの右側端部とを連設するとともに、第３連結ピン９４を介して左右レバー形成片８３ｂの左側端部と斜レバー形成片８３ｃの左側端部を連結する一方、第４連結ピン９５を介して上下レバー形成片８３ａの中途部と斜レバー形成片８３ｃの右側端部を連結して第２変換レバー体８３を形成している。
【００３１】
上下レバー形成片８３ａの上端部には、第５連結ピン９６を介して左右延伸ロッド８２の左側端部を連結している。第１変換レバー体８１の左側前端部には、第６連結ピン９７を介して左右延伸ロッド８２の右側端部を連結している。左右レバー形成片８３ｂの左側端部と斜レバー形成片８３ｃの左側端部には、第３連結ピン９４を介して上下延伸ロッド８４の上端部を連結している。姿勢変更体７８の左側下角部には、第４連結ピン９５を介して上下延伸ロッド８４の下端部を連結している。
【００３２】
上記のように構成したデバイダ連動機構６５では、操作レバー６１を前方向（図５のａ方向）へ傾倒操作すると、それに連動連結した前後延伸ロッド８０が前方へ移動され、それに連動連結した第１変換レバー体８１が平面視にて第１レバー支軸８５を中心に反時計廻りに回動され、それに連動連結した左右延伸ロッド８２が左側方へ移動され、それに連動連結した第２変換レバー体８３が背面視にて第２レバー支軸９１を中心に反時計廻りに回動され、それ動に連連結した上下延伸ロッド８４が下方へ移動され、それに連動連結した姿勢変更体７８が背面視で反時計廻りに回動され、それに連動連結したサイドデバイダ６０が不使用姿勢（ｂ）から使用姿勢（ａ）に姿勢変更される。また、操作レバー６１を後方向へ傾倒操作すると、デバイダ連動機構６５の各構成部材が上記とは反対方向に動作して、サイドデバイダ６０が使用姿勢（ａ）から不使用姿勢（ｂ）に姿勢変更される。
【００３３】
穀稈引起装置２２に前上部横フレーム形成片３６を介して連動連設した引起変速ケース４６には、図７及び図８に示すように、変速機構４９を内蔵させており、変速機構４９のシフトフォーク軸５０の上端部には、変速連動機構１０１を介して穀稈引起装置２２の引起駆動速度を変速操作する引起変速レバー１００を連動連結している。以下に、図７及び図８を参照しながら、変速連動機構１０１を介した変速機構４９のシフトフォーク軸５０と引起変速レバー１００との連動連結構造について詳説する。
【００３４】
すなわち、操作レバー６１を枢支しているレバー支軸６３の先端部側（右側部側）には、短幅筒状の変速レバーボス部１０２を外嵌して回動自在となし、変速レバーボス部１０２に、操作レバー６１と同様に上下方向に軸線を向けて形成した引起変速レバー１００の下端部を取り付けて、前後方向に揺動操作自在となしている。つまり、引起変速レバー１００はレバー支軸６３に操作レバー６１と同軸的に枢支して、両レバー６１,１００を、穀稈搬送装置２４の後部と運転部１６との間において、左右方向に近接状態に隣接させるとともに、起立状に並設している。そして、引起変速レバー１００の前後方向への揺動操作に、変速連動機構１０１を介して、穀稈引起装置２２の引起駆動速度を二段階に変速する切替動作を連動させている。
【００３５】
変速連動機構１０１は、前後方向に動作するとともに前後方向に延伸する前後延伸変速ロッド１０３と、前後延伸変速ロッド１０３による前後方向の動作を左右方向の動作に変換する第３変換レバー体１０４と、第３変換レバー体１０４により左右方向に動作するとともに左右方向に延伸する左右延伸変速ロッド１０５と、左右延伸変速ロッド１０５による左右方向の動作を上下方向の動作に変換する第４変換レバー体１０６とを具備している。中央部フレーム形成片３７の上周面前部に突設した第１レバー支軸８５の下部に筒状の下レバーボス部１０７を介して右側方と前方に張り出させて水平板状に形成した第３変換レバー体１０４の左側後部を枢支している。前後延伸変速ロッド１０３は、引起変速レバー１００の下部に設けた連結ブラケット１０８に第８連結ピン１０９を介して後端部を連結するとともに、第４変換レバー体１０６の右側後部に第９連結ピン１１０を介して前端部を連結している。第４変換レバー体１０６は、上方延伸部１１２と左側方延伸部１１３とから背面視にて鉤状に形成している。前上部横フレーム形成片３６の背面左側端部に取り付けたレバーステー９０の右側下部に連設した第２レバー支軸９１の前部にその軸線を中心に前レバーボス部１１１を回転自在に外嵌している。前レバーボス部１１１には、第４変換レバー体１０６の角部を貫通状に連設している。
【００３６】
第４変換レバー体１０６の上方延伸部１１２の上端部には、第１０連結ピン１１４を介して左右延伸変速ロッド１０５の左側端部を連結している。第３変換レバー体１０４の左側前端部には、第１１連結ピン１１５を介して左右延伸変速ロッド１０５の右側端部を連結している。第４変換レバー体１０６の左側方延伸部１１３の左側端部には、第１２連結ピン１１６を介して変速機構４９のシフトフォーク軸５０の上端部を連結している。１１７は左側縦フレーム形成片３４中に軸架した伝動縦軸、１１８は前上部横フレーム形成片３６中に軸架した伝動横軸であり、両軸１１７,１１８は変速機構４９を介して連動連結している。
【００３７】
上記のように構成した変速連動機構１０１では、引起変速レバー１００を前方向（図７のｂ方向）へ傾倒操作すると、それに連動連結した前後延伸変速ロッド１０３が前方へ移動され、それに連動連結した第３変換レバー体１０４が平面視にて第１レバー支軸８５を中心に反時計廻りに回動され、それに連動連結した左右延伸変速ロッド１０５が左側方へ移動され、それに連動連結した第４変換レバー体１０６が背面視にて第２レバー支軸９１を中心に反時計廻りに回動され、それに連動連結したシフトフォーク軸５０が下方へ移動され、それに連動連結した変速機構４９が高速段に変速切替動作される。また、引起変速レバー１００を後方向へ傾倒操作すると、変速連動機構１０１の構成部材が上記とは反対に動作して、シフトフォーク軸５０が上方へ移動され、それに連動連結した変速機構４９が低速段に変速切替動作される。
【００３８】
運転部１６は、床部１２０の前部にステアリングコラム１２１を立設し、ステアリングコラム１２１の上端部にステアリングレバー１２２を取り付け、ステアリングレバー１２２の後方位置に運転席１２３を配置している。運転部１６には、運転席１２３の前方から左側方にかけてサイド操作コラム１２４を配設している。
【００３９】
上記のように構成した本実施形態では、操作レバー６１と引起変速レバー１００を、穀稈搬送装置２４の後部（後部カバー体２６の右側縁部）と運転部１６との間に配設するとともに、レバー支軸６３に同軸的に下端部を枢支して、左右方向に隣接させて起立状に並設しているため、各レバー６１,１００を運転部１６に可及的に近接配置することができる。そのため、身体が小柄な作業者であっても、運転部１６の運転席１２３に着座した姿勢のまま各レバー６１,１００に手を伸ばすことで、楽に各レバー６１,１００を手元操作することができる。
【００４０】
図９は、前記したコンバインＡの運転部１６をキャビン１３０により被覆したキャビン型のコンバインＡであり、キャビン１３０は、左側壁部１３１にガラス窓１３２を前後方向に摺動させることで開閉自在となしている。そして、ガラス窓１３２の左側外方の近傍位置に、操作レバー６１と引起変速レバー１００を左右に隣接させて配設している。つまり、両レバー６１,１００は、キャビン１３０に可及的に近接配置されている。そのため、身体が小柄な作業者であっても、キャビン１３０内に配設されている運転部１６の運転席１２３に着座した姿勢のまま、ガラス窓１３２を開放することで、ガラス窓１３２越しに各レバー６１,１００に手を伸ばすことができるとともに、楽に各レバー６１,１００を手元操作することができる。
【符号の説明】
【００４１】
Ａ  コンバイン
１  走行機体
２  刈取部
１６  運転部
２４  穀稈搬送装置
６０  サイドデバイダ
６１  操作レバー
１００  引起変速レバー
１０１  変速連動機構
【図１】
2015089341.tif 000003
【図２】
2015089341.tif 000004
【図３】
2015089341.tif 000005
【図４】
2015089341.tif 000006
【図５】
2015089341.tif 000007
【図６】
2015089341.tif 000008
【図７】
2015089341.tif 000009
【図８】
2015089341.tif 000010
【図９】
2015089341.tif 000011